(57)【要約】      （修正有）【課題】車椅子利用者が自身一人で車椅子の車輪を衛生的に清掃することができ、手動式で安価な車椅子車輪清掃装置を提供する。【解決手段】装置に液体を入れる液体圧縮タンク１を設け、レバーバルブ２にて開閉操作をする。装置への乗り降りは、車椅子利用者自身で出来るようにローラー１７ａ１７ｂ１７ｃ１７ｄは、回転・ロックが手動にて出来るようにブレーキユニットが備わっている。清掃時は、ローラーは、ブレーキを開放状態にし、レバーバルブを開にしてノズル１５ａ１５ｂより液体を車椅子車輪の前輪３０、後輪２９に噴霧する。車椅子車輪の後輪を回す事で、回転はローラー１７ｃに伝わり他のローラー１７ａ１７ｂ１７ｄに回転が同期するようにチェーンを有し、車椅子車輪の前輪を回転させる。車椅子車輪の回転中にチャンネルブラシ１６ａ１６ｂは前輪後輪と接触し汚れを落とす。【選択図】図４
0003200254.tif 000002
【実用新案登録請求の範囲】
【請求項１】
清掃装置に車椅子をセットした時に、車椅子の後輪を手で回す事によって回転が、清掃装置の後輪清掃部の従動軸と同期し後輪清掃部の従動軸から前輪清掃部の従動軸にチェーンによって回転が伝わり前輪清掃部の従動軸を同期すること。前後の清掃部の従動軸は、それぞれ２本の軸で構成されその間には、汚れを落とすチャンネルブラシを設けており、ブラシと接触することで車椅子前輪と後輪を同時にかつ両側（車椅子の左右の車輪）清掃できることを特徴とする車椅子車輪清掃装置。
【請求項２】
清掃装置の後輪清掃部従動軸から前輪清掃部の従動軸に回転を同期させるチェーンにブレーキを有していること。チェーンにブレーキをかけることで清掃部の従動軸が回転できない状態をつくり車椅子で清掃装置に乗り降りできること。清掃時は、チェーンからブレーキを開放することで車椅子の後輪の回転と清掃部の従動軸が同期する為、車椅子が前に進むことなく清掃を行えることを特徴とする請求項１記載の車椅子車輪清掃装置。
【請求項３】
水やアルコールといった液体を入れる加圧タンクを有していること。タンクを加圧し、加圧によって液体を送り、図のレバーバルブの開閉で清掃装置本体に設置してあるノズルから液体を車椅子の車輪に噴霧しながら清掃出来ることを特徴とする請求項１記載の車椅子車輪清掃装置。
【考案の詳細な説明】
【技術分野】
【０００１】本考案は、車椅子車輪の汚れを落とす車椅子車輪の清掃装置に関するものである。
【背景技術】
【０００２】車椅子で外出し建物内に入る場合、車椅子の車輪に小石、埃、土の異物が付着した状態で入ると、車輪についた異物で建物内の通路を汚してしまう問題がある。靴等の履き替えを求められる施設（病院、介護施設）においては、車輪についた異物を落とさなければならない。
そこで、車輪を清掃する装置として、車椅子利用者が一人で清掃できるものとしては、自動で両輪清掃できるものがあるが、購入やメンテナンス維持コストが大きい。
【先行技術文献】
【０００３】
【特許文献】
【特許文献】特開２００２−３０８０６６  公報
【考案の概要】
【考案が解決しようとしている課題】
【０００４】車椅子の車輪に付着する異物として、小石、埃、土が挙げられるが、水やアルコールを使っての清掃をしなければ十分な衛生状態を得ることが出来ないが、水槽に液体を張ったものでは、清掃を行なっても清掃を重ねる度に液体は、汚れていきその汚れた液体で清掃を行なっても十分な衛生状態を得られない上に液体の交換も手間である。
【０００５】本考案は、上記した事情に鑑みてなされたものであり、その目的は、車椅子利用者が自身一人で車椅子の車輪（前輪  後輪  左右  計４輪）を衛生的に清掃することができ、手動式で安価な車椅子車輪清掃装置を提供することにある。
【課題を解決する為の手段】
【０００６】目的を達成する為に本考案は、清掃装置に車椅子をセットした時に、車椅子の後輪を手で回す事によって回転を清掃装置の後輪清掃部の従動軸と同期させ後輪清掃部の従動軸から前輪清掃部の従動軸にチェーンによって回転が伝わり、前輪清掃部の従動軸を同期すること。前後の清掃部の従動軸は、それぞれ２本の軸で構成されその間には、汚れを落とすチャンネルブラシを設けており、ブラシと接触することで車椅子前輪と後輪を同時にかつ両側（車椅子の左右の車輪）清掃できるように車椅子車輪清掃装置を構成している。
【０００７】また、車椅子車輪清掃装置の清掃部従動軸回転同期用チェーン（後輪清掃部から前輪清掃部への回転同期）にブレーキを有すことで車椅子利用者が一人で車椅子にて装置へ乗り降りでき、車輪清掃を行なえることを特徴としている。
【０００８】水やアルコールといった液体を入れる加圧タンクを有し、そのタンクを加圧することで液体を送り、レバーバルブの開閉で清掃装置本体に設置してあるノズルから液体を車椅子の車輪に噴霧しながら清掃出来ることを特徴としている。
【考案の効果】
【０００９】本考案では、車椅子車輪清掃装置の清掃の駆動源を車椅子の車輪にすることで、手動化させているので電気部品、電気代がかからず、メンテナンス維持コストも低く済む。
また、車椅子の車輪を動力源にして後輪清掃部の従動軸と前輪清掃部の従動軸を回転させているので、同時に清掃が行なえる。
【００１０】後輪清掃部から前輪清掃部にかけて回転を同期させるチェーンにブレーキを有していることで、車椅子で清掃装置に乗り入るときは、ブレーキをかけた状態なので清掃従動軸は回転することがない為、車椅子に乗りながら清掃部へセット出来る。また、清掃時は、ブレーキを外さないと車椅子の車輪から得た回転と同期させることが出来ない。清掃を終えたらブレーキをかけ従動軸が回転しない状態でないと降りる事ができない。したがって、使用時は清掃を行なう者が、ブレーキを解除しないかぎりはブレーキがかかった状態なので、使用者が一人で清掃作業（車椅子での前後の乗降り作業含む）を行うことができる。
【００１１】加圧タンクから加圧された水やアルコールといった液体は、レバーバルブの開閉操作によって本体に設置されたノズルより車椅子の車輪へ噴霧される。したがって、水気を帯びた状態で清掃が行なえるので、車輪付着している異物をきれいに落とす事が出来る。また、噴霧仕様の為、液体の使用量は少なくて済み、常に綺麗な液体が噴霧される。清掃が終わったときは、レバーバルブを閉にすることで、ノズルから液体を噴霧することはない。
【図面の簡単な説明】
【００１２】
【図１】車椅子車輪清掃装置の側面図である。
【図２】本考案の内部構造を示す平面図である。
【図３】本考案の正面図である。
【図４】本考案の実施形態の断面図である。
【図５】本考案のブレーキ部の構造を示す側面図である。
【考案を実施するための形態】
【００１３】以下、本考案の実施の形態を図に基づいて説明する。
【００１４】図１は、本考案の側面図を示す。本体フレーム８に前後の傾斜フレーム１０がそれぞれ固定されている。傾斜フレーム１０には、車椅子の走行用板９ａと９ｂが取り付けられている。また、本体フレーム８には、ブレーキ部を構成しているブレーキ摺動バー４とクランパー３とカラー５と連結バー７とブレーキスプロケット６が備わっている。また、液体圧縮タンク１とレバーバルブ２が備わっている。
【００１５】図２は本考案の内部構造を示す平面図である。液体圧縮タンク１で圧縮を行なうと液体がホース１１の中を通る。外フレーム２４に固定されているレバーバルブ２はレバーを開閉させる事で清掃装置への液体供給を行なう。清掃装置本体に設置してあるノズル１５ａ  ノズル１５ｂ  ノズル１５ｃ  ノズル１５ｄへは、ホース１１と隔壁継手１２とＴ型継手１３とＬ型継手１４を介して液体の供給を行なっている。
【００１６】また、図２でローラー１７ａ  ローラー１７ｂ  ローラー１７ｃ  ローラー１７ｄは、軸にベアリングユニット１８と軸脱落防止カラー１９をそれぞれ嵌めておく。ローラー１７ａの軸端には、２列スプロケット２０ａを挿入し固定している。ローラー１７ｂの軸端には、スプロケット２０ｂを挿入し固定している。ローラー１７ｃの軸端には、スプロケット２０ｃを挿入し固定している。ローラー１７ｄの軸端には、２列スプロケット２０ｄを挿入し固定している。
【００１７】そして、２列スプロケット２０ａとスプロケット２０ｂは回転伝達チェーン２１ａで連結されている。スプロケット２０ｃと２列スプロケット２０は回転伝達チェーン２１ｃで連結されている。２列スプロケット２０ａと２列スプロケット２０ｄは回転伝達チェーン２１ｂで連結されている。よってローラー１７ｃが回転するとスプロケットと回転伝達チェーンを介しローラー１７ａとローラー１７ｂは回転が同期する。
【００１８】図３は本考案の正面図を示している。本体フレーム８ａに外フレーム連結ステー２３が固定してある。外フレーム連結ステー２３には、外フレーム２４ａ外フレーム２４ｂが固定してある。
【００１９】外フレーム２４ｂにはレバーバルブ取付ステー２８が固定してある。レバーバルブ取付ステー２８には、レバーバルブ２が固定してある。
【００２０】そして外フレーム２４ａ外フレーム２４ｂには、ブレーキ摺動バー４とクランパー３とカラー５と連結バー７とブレーキスプロケット６が備わっている。
【００２１】また、本体フレーム８ｂには、装置連結ステー２６が固定されている。本体フレーム８ｃには装置連結ステー２７が固定されている。装置連結ステー２６と装置連結ステー２７の固定はノブボルト２５で固定されている。
【００２２】図４は本考案の実施形態の断面図を示す。本体フレーム８と傾斜フレーム１０にはステー２２ａが固定してある。走行板固定ステー２２ａは、走行用板９ａ９ｂが固定してある。ステー２２ｂは、車椅子で乗込む際にローラー１７ｃとローラー１７ｄの間隔が大きい為、車椅子車輪の前輪３０の落込み防止で固定してある。
【００２３】本体フレーム８には清掃部固定ステー３１ａ３１ｂが固定してある。清掃部固定ステー３１ａには、ノズル１５ａが固定してある。又、チャンネルブラシ１６ａは車椅子車輪の前輪３０と接触する事で汚れを落とすのでローラー１７ａと１７ｂの間にチャンネルブラシ１６ａがあるように清掃部固定ステー３１ａへ固定してある。同様に清掃部固定ステー３１ｂにはノズル１５ｂが固定してあり、ローラー１７ｃとローラー１７ｄの間にチャンネルブラシ１６ｂがあるように固定してある。チャンネルブラシ１６ｂは車椅子車輪の後輪２９と接触する。
【００２４】図５は、本考案のブレーキ部の構造を示す側面図である。清掃装置本体にブレーキ摺動バー４が固定してあり、ブレーキ摺動バー４には、クランパー３とカラー５が備わっている。クランパー３には連結バー７が固定されている。また、ブレーキスプロケット６が固定されている。ブレーキスプロケットは回転しないように取付の軸は、連結バー７に溶接にて溶着している。カラー５は、クランパー３の下げ過ぎ・上げ過ぎ防止とクランパー３の回転防止を兼ねている。
【００２５】したがって、ブレーキ摺動バー４に沿ってクランパー３を動かすと連結バー７とブレーキスプロケット６が連動する。２列スプロケット２０ａと２列スプロケット２０ｄは回転伝達チェーン２１ｂで連結されている為、回転伝達チェーン２１ｂにブレーキスプロケット６を咬合させると回転伝達チェーン２１ｂは動かない。
【符号の説明】
【００２６】１                        液体圧縮タンク
２                        レバーバルブ
３                        クランパー
４                        ブレーキ摺動バー
５                        カラー
６                        ブレーキスプロケット
７                        連結バー
８ａ８ｂ                  本体フレーム
９ａ９ｂ                  走行用板
１０                      傾斜フレーム
１１                      ホース
１２                      隔壁継手
１３                      Ｔ型継手
１４                      Ｌ型継手
１５ａ１５ｂ１５ｃ１５ｄ  ノズル
１６ａ１６ｂ１６ｃ１６ｄ  チャンネルブラシ
１７ａ１７ｂ１７ｃ１７ｄ  ローラー
１８                      ベアリングユニット
１９                      軸脱落防止カラー
２０ａ２０ｄ              ２列スプロケット
２０ｂ２０ｃ              スプロケット
２１ａ２１ｂ２１ｃ        回転伝達チェーン
２２ａ２２ｂ              ステー
２３                      外フレーム連結ステー
２４ａ２４ｂ              外フレーム
２５                      ノブボルト
２６                      装置連結ステー
２７                      装置連結ステー
２８                      レバーバルブ取付ステー
２９                      車椅子車輪の後輪
３０                      車椅子車輪の前輪
３１ａ３１ｂ              清掃部固定ステー
【図１】
0003200254.tif 000003
【図２】
0003200254.tif 000004
【図３】
0003200254.tif 000005
【図４】
0003200254.tif 000006
【図５】
0003200254.tif 000007
【手続補正書】
【提出日】平成27年7月17日(2015.7.17)
【手続補正１】
【補正対象書類名】実用新案登録請求の範囲
【補正対象項目名】全文
【補正方法】変更
【補正の内容】
【実用新案登録請求の範囲】
【請求項１】
車椅子をセットし、車椅子の後輪を手で回す事によって回転が車椅子の前輪に伝わり、セットされた車椅子は不動のまま４つの車輪が回転し、ブラシと接触することで車輪が清掃できる清掃装置において、後輪の受け部に配置された２本の従動軸と前輪の受け部に配置された２本の従動軸がチェーンによって連結されており回転が伝わる機構を有し、それぞれの従動軸の間には汚れを落とすチャンネルブラシを設けていることを特徴とする車椅子車輪清掃装置。
【請求項２】
清掃装置の後輪清掃部従動軸から前輪清掃部の従動軸に回転を同期させるチェーンにブレーキを有しており、チェーンにブレーキをかけることで清掃部の従動軸が回転できない状態をつくり車椅子で清掃装置に乗り降りできること、車輪の清掃時は、チェーンからブレーキを開放することで車椅子の後輪の回転と清掃部の従動軸が同期回転する為、車椅子が前に進むことなく清掃を行えることを特徴とする請求項１記載の車椅子車輪清掃装置。
【請求項３】
水やアルコールといった液体を入れる加圧タンクを有しており、タンクを加圧することにより液体を送り、タンク出口に配置されたレバーバルブの開閉にて、清掃装置本体に設置してあるノズルから液体を車椅子の車輪に噴霧しながら清掃出来ることを特徴とする請求項１記載の車椅子車輪清掃装置。